(57)【要約】【課題】閉扉後の所定時間内に携帯機を所持した利用者がリーダ電波圏外に出てしまった場合でも施錠忘れを利用者に知らせる。【解決手段】リーダ４は、錠前の解錠時に、開扉して閉扉した後のスイッチ操作による施錠指示入力があると錠前が施錠したと判別し、施錠情報を含む通知用電波を送信する。携帯機５は、錠前が施錠されたときにリーダ４からの通知用電波を受信し、この通知用電波に含まれる施錠情報を記憶部に記憶する。室外センサ６は、リーダ４から離れた建物の共用部に配設され、携帯機５が室外センサ電波圏内に進入したときに携帯機５に確認用電波を送信する。携帯機５は、リーダ４のリーダ電波圏内から離れて室外センサ６の室外センサ電波圏内に進入すると、室外センサ６から確認用電波を受信し、記憶部に施錠情報が記憶されていなければ施錠忘れ警報を出力する。【選択図】図３
2016186190.tif 000002
【特許請求の範囲】
【請求項１】
利用者を特定する認証用のＩＤ信号を送信する携帯機と、この携帯機から送信されるＩＤ信号を受信するリーダとを備え、前記携帯機が前記リーダの通信エリア内に近接したことを検知した後、利用者の施解錠意志によるスイッチ操作で錠前を施解錠する施解錠システムにおいて、
前記リーダから離れた建物の共用部に配設され、前記携帯機が通信エリア内に進入したときに該携帯機に確認用電波を送信する室外センサを備え、
前記リーダは、前記錠前の解錠時に、開扉して閉扉した後の前記スイッチ操作による施錠指示入力があったときに、前記錠前が施錠されたことを示す施錠情報を含む通知用電波を送信する機能を有し、
前記携帯機は、前記リーダから前記通知用電波を受信したときに、この通知用電波に含まれる施錠情報を記憶する記憶部を備え、
前記携帯機が前記室外センサから前記確認用電波を受信したときに、前記記憶部に施錠情報が記憶されていなければ施錠忘れ警報を前記携帯機又は前記室外センサから出力する報知部を備えたことを特徴とする施解錠システム。
【発明の詳細な説明】
【技術分野】
【０００１】
本発明は、利用者を特定する認証用のＩＤ信号を送信する携帯機と、この携帯機から送信されるＩＤ信号を受信するリーダとを備え、携帯機がリーダの所定の通信エリア内に近接したことを検知した後、利用者の施解錠意志によるスイッチ操作で錠前を施解錠する施解錠システムに関するものである。
【背景技術】
【０００２】
錠前を電気的に施解錠制御する施解錠システムとしては、その使用形態に応じて従来から様々なものが提案されている。本発明に関連する施解錠システムとしては、例えば下記特許文献１に開示される施解錠装置が知られている。
【０００３】
特許文献１に開示される施解錠装置は、図４に示すように、送信アンテナと受信アンテナとを設けた送受信機と、この送受信機とシリンダ錠とを備えると共に施解錠する者の意志による操作で施解錠することができるタッチスイッチ１０１を設けた外側錠部１０２とがドア１０３の外面に配設されている。また、ドア１０３の内面には、送信アンテナと受信アンテナとを設けた送受信機と、施解錠機構の電動駆動部を設けたサムタ−ン装置とを備えると共にタッチスイッチ１０４を設けた内側錠部１０５とが配設されている。この施解錠装置では、携帯機１０６からのレスポンスコ−ド信号の受信にしたがってコントロ−ラ１０７が施解錠の準備モ−ドに移行し、この準備モ−ドにおいてタッチスイッチ１０１または１０４を操作することにより、施錠又は解錠が実行される構成となっている。
【０００４】
このように、特許文献１に開示される施解錠装置では、錠前の施解錠時に、携帯機１０６を所持した利用者が扉に近接したことを検知した後、扉に配設されたタッチスイッチ１０１または１０４が押下されると、利用者に施解錠意志があるものと認識して錠前の解錠や施錠を行っている。
【０００５】
ところが、上述した特許文献１に開示される施解錠装置では、携帯機１０６の所持者が開扉を行った後、施錠をせぬまま外出した場合、何のアクションも起こらないため、鍵の掛け忘れが発生する恐れがあった。
【０００６】
そこで、本件出願人は、上述した鍵の掛け忘れの対策として、下記特許文献２に開示される施解錠システムを既に出願している。
【０００７】
特許文献２に開示される施解錠システムは、扉近傍に設けられるリーダと、利用者が所持する携帯機と、リーダの通信エリアから離れた共用部に設けられる室外センサとから構築される。リーダは、錠前の解錠時に、開扉して閉扉した後の所定時間内に利用者がスイッチ操作による施錠指示入力を行わなければ、施錠忘れと判別して通知用電波を送信する。携帯機は、リーダからの通知用電波を受信すると、施錠忘れを示す施錠忘れ情報を記憶部に記憶する。そして、携帯機は、室外センサから確認用電波を受信し、記憶部に施錠忘れ情報が記憶されていれば、報知部から施錠忘れ警報を出力する。これにより、開扉後に施錠を忘れて外出したときに、利用者が所持する携帯機から施錠忘れ警報を出力し、鍵の掛け忘れの発生を低減している。
【先行技術文献】
【特許文献】
【０００８】
【特許文献１】特開２００３−３４３１２９号公報
【特許文献２】特許第４９３６９４０号公報
【発明の概要】
【発明が解決しようとする課題】
【０００９】
このように、上述した特許文献２に開示される施解錠システムにおけるリーダは、錠前の解錠時における開扉から閉扉した後の所定時間内に利用者がスイッチ操作（施錠指示入力）を行わないタイミングで施錠忘れと判別し、その旨の通知用電波を携帯機に送信している。
【００１０】
しかしながら、特許文献２に開示される施解錠システムにおいて、施錠忘れがあったときに、リーダから送信される通知用電波を携帯機が受信する前に携帯機がリーダ電波圏外に出てしまう場合があり得る。この場合、閉扉後の所定時間内に携帯機を所持した利用者がリーダ電波圏外に出てそのまま外出してしまうことになる。このため、携帯機はリーダからの通知用電波を受信することができず、施錠忘れがあっても施錠忘れ情報が記憶部に記憶されない。その結果、利用者が所持する携帯機の報知部から施錠忘れ警報が出力されず、利用者に施錠忘れを知らせることができないという問題があった。
【００１１】
そこで、本発明は上記問題点に鑑みてなされたものであり、閉扉後の所定時間内に携帯機を所持した利用者がリーダ電波圏外に出てしまった場合でも施錠忘れを利用者に知らせることができる施解錠システムを提供することを目的とするものである。
【課題を解決するための手段】
【００１２】
上記した目的を達成するために、請求項１に記載された施解錠システムは、利用者を特定する認証用のＩＤ信号を送信する携帯機と、この携帯機から送信されるＩＤ信号を受信するリーダとを備え、前記携帯機が前記リーダの通信エリア内に近接したことを検知した後、利用者の施解錠意志によるスイッチ操作で錠前を施解錠する施解錠システムにおいて、
前記リーダから離れた建物の共用部に配設され、前記携帯機が通信エリア内に進入したときに該携帯機に確認用電波を送信する室外センサを備え、
前記リーダは、前記錠前の解錠時に、開扉して閉扉した後の前記スイッチ操作による施錠指示入力があったときに、前記錠前が施錠されたことを示す施錠情報を含む通知用電波を送信する機能を有し、
前記携帯機は、前記リーダから前記通知用電波を受信したときに、この通知用電波に含まれる施錠情報を記憶する記憶部を備え、
前記携帯機が前記室外センサから前記確認用電波を受信したときに、前記記憶部に施錠情報が記憶されていなければ施錠忘れ警報を前記携帯機又は前記室外センサから出力する報知部を備えたことを特徴とする。
【発明の効果】
【００１３】
本発明によれば、錠前の解錠時に、利用者が開扉して閉扉した後のスイッチ操作による施錠指示入力があれば、錠前が施錠されたことを示す施錠情報を送信する。携帯機は、この施錠情報を受信して記憶部に記憶する。そして、携帯機は、建物の共用部に配設された室外センサから確認用電波を受信すると、記憶部に施錠情報が記憶されていなければ施錠忘れ警報を出力する。かかる構成により、利用者が所持する携帯機は、利用者が開扉後に施錠を忘れて外出した場合、室外センサからの確認用電波の受信により記憶部に施錠情報が記憶されていないことにより施錠忘れ警報を出力するので、閉扉後の所定時間内に携帯機を所持した利用者がリーダ電波圏外に出てしまった場合でも施錠忘れを利用者に知らせることができる。
【図面の簡単な説明】
【００１４】
【図１】本発明に係る施解錠システムのブロック構成図である。
【図２】本発明に係る施解錠システムにおいて錠前を施錠したときの動作説明図である。
【図３】本発明に係る施解錠システムにおいて錠前を施錠し忘れたときの動作説明図である。
【図４】特許文献１に開示される従来の施解錠システムの一例を示す図である。
【発明を実施するための形態】
【００１５】
以下、本発明を実施するための形態について、添付した図面の図１〜３を参照しながら詳細に説明する。
【００１６】
本例の施解錠システム１は、例えば集合住宅やテナントビル等の建物（物件）に採用され、図１に示すように、施解錠機構２、扉センサ３、リーダ４、携帯機５、室外センサ６を備えて概略構成される。
【００１７】
施解錠機構２は、扉に設けられる、例えばモータやソレノイド等の駆動装置と錠前で構成され、リーダ４の後述する制御回路部４ｃの制御により駆動装置を介して錠前を施錠または解錠するべく駆動し、扉枠の係止穴に対してデッドボルトを突出（施錠時）又は引き込む（解錠時）ことにより錠前を施解錠している。
【００１８】
なお、施解錠機構２は、利用者の施解錠意志によって後述する操作部４ｂの解錠スイッチや施錠スイッチが直接押下されたときのタイミングをトリガとして、後述する制御回路部４ｃの制御により錠前を施錠または解錠する構成であればよく、特にその構成は問わないものである。
【００１９】
扉センサ３は、例えばリードスイッチや無線式を含む各種開閉センサで構成され、利用者による扉の開閉操作に応じた扉の開閉状態（開扉、閉扉）を検知している。扉センサ３は、扉が開いているときに開扉信号を出力し、扉が閉まっているときに閉扉信号を出力している。そして、これら開扉信号や閉扉信号は、リーダ４の後述する制御回路部４ｃに入力される。
【００２０】
リーダ４は、例えば扉近傍の壁面や扉等に設けられ、利用者が所持する携帯機５との間で信号を送受信する通信エリア（リーダ電波圏）が予め定められており、図１に示すように、電源回路部４ａ、操作部４ｂ、制御回路部４ｃ、送受信部４ｄを備えている。
【００２１】
電源回路部４ａは、例えば商用電源（ＡＣ１００Ｖ）である外部電源から電源供給を受けてリーダ４の各部に必要な駆動電源を供給している。また、電源回路部４ａは、例えば不図示の通電金具や配線を介して扉の施解錠機構２に必要な駆動電源を供給するとともに、不図示の配線を介して室外センサ６に必要な駆動電源を供給している。
【００２２】
操作部４ｂは、利用者の施解錠意志によって直接押下操作される解錠スイッチや施錠スイッチで構成され、解錠スイッチの押下により解錠を指示する解錠指示信号を制御回路部４ｃに出力し、施錠スイッチの押下により施錠を指示する施錠指示信号を制御回路部４ｃに出力している。
【００２３】
制御回路部４ｃは、携帯機５が通信エリア（リーダ電波圏）内に進入することで起動する誘導磁界を利用して、携帯機５に確認用電波を送信するべく、送受信部４ｄを駆動制御している。前記確認用電波は、リーダ４の通信エリア（リーダ電波圏）内に携帯機５が存在するか否かを確認するための電波である。また、制御回路部４ｃは、送受信部４ｄから携帯機５への確認用電波の送信に伴う応答電波として送受信部４ｄが携帯機５からＩＤ信号（利用者を特定する認証用のＩＤ）を受信したときに、この受信したＩＤ信号を予め記憶された認証情報（施解錠機構２の施解錠を許可する利用者に関する情報）と比較し、その正当性を判別している。そして、制御回路部４ｃは、ＩＤ信号を正常認証した後、操作部４ｂから入力される指示信号に応じて施解錠機構２を駆動制御している。すなわち、制御回路部４ｃは、ＩＤ信号の正常認証後、操作部４ｂから解錠指示信号が入力されると施解錠機構２を解錠制御し、操作部４ｂから施錠指示信号が入力されると施解錠機構２を施錠制御している。さらに、制御回路部４ｃは、施解錠機構２の解錠制御時に、開扉して閉扉後に施錠され、施錠ありと判別したとき、すなわち、扉センサ３から開扉信号が入力して閉扉信号が入力した後、操作部４ｂから施錠指示信号が入力されると錠前が施錠されたと判別し、錠前が施錠されたことを示す施錠動作ありの施錠情報を含む通知用電波を携帯機５に送信するべく、送受信部４ｄを駆動制御している。
【００２４】
送受信部４ｄは、携帯機５が通信エリア（リーダ電波圏）内に進入することで起動する誘導磁界を利用して、制御回路部４ｃの制御により確認用電波を送信している。また、送受信部４ｄは、確認用電波の送信に伴う携帯機５からのＩＤ信号（応答電波）を受信し、受信したＩＤ信号を制御回路部４ｃに出力している。さらに、送受信部４ｄは、制御回路部４ｃが施錠ありと判別したときに、制御回路部４ｃの制御により施錠情報を含む通知用電波を送信している。
【００２５】
携帯機５は、利用者が携帯した状態でリーダ４の通信エリア（リーダ電波圏）内に進入することで起動する誘導磁界を利用してリーダ４との間で非接触通信し、また利用者が携帯した状態で室外センサ６の通信エリア（室外センサ電波圏）内に進入することで起動する誘導磁界を利用して室外センサ６との間で非接触通信を行っており、図１に示すように、電源部５ａ、制御回路部５ｂ、送受信部５ｃ、記憶部５ｄ、報知部５ｅを備えている。
【００２６】
電源部５ａは、携帯機５の本体に対して着脱交換可能な例えばボタン電池や乾電池などで構成され、携帯機５の各部に必要な駆動電源を供給している。尚、電源部５ａは、リーダ４や室外センサ６との間で起動する誘導磁界により自励発電を行う自励発電装置として構成とすることも可能である。
【００２７】
制御回路部５ｂは、携帯機５の本体がリーダ４の通信エリア（リーダ電波圏）内に進入したときにリーダ４から送信される確認用電波や施錠情報を含む通知用電波を受信するべく、送受信部５ｃを駆動制御している。また、制御回路部５ｂは、リーダ４からの確認用電波の受信に伴う応答電波として送受信部５ｃからＩＤ信号（利用者を特定する認証用のＩＤ）を送信するべく、送受信部５ｃを駆動制御している。さらに、制御回路部５ｂは、携帯機５の本体が室外センサ６の通信エリア（室外センサ電波圏）内に進入したときに室外センサ６から送信される確認用電波を受信するべく、送受信部５ｃを駆動制御している。また、制御回路部５ｂは、携帯機５が室外センサ６の通信エリア（室外センサ電波圏）内に進入して室外センサ６から送受信部５ｃが確認用電波を受信したときに、後述する記憶部５ｄに施錠情報が記憶されているか否かにより、錠前が施錠されたか否かを判別している。そして、制御回路部５ｂは、記憶部５ｄに施錠情報が記憶されておらず、錠前が施錠されていないと判別したときに、施錠忘れ警報を出力するべく報知部５ｅを駆動制御している。
【００２８】
送受信部５ｃは、利用者が携帯機５を携帯した状態でリーダ４の通信エリア（リーダ電波圏）内に進入することで起動する誘導磁界を利用して、リーダ４からの確認用電波の受信、受信した確認用電波に対するＩＤ信号（利用者を特定する認証用のＩＤ）の送信、リーダ４からの施錠情報の受信を行っている。また、送受信部５ｃは、利用者が携帯機５を携帯した状態で室外センサ６の通信エリア（室外センサ電波圏）内に進入することで起動する誘導磁界を利用して、室外センサ６からの確認用電波の受信を行っている。
【００２９】
記憶部５ｄは、例えばＲＡＭ等の半導体メモリで構成される。この記憶部５ｄには、送受信部５ｃがリーダ４から送信される施錠情報を含む通知用電波を受信したときに、施錠情報が制御回路部５ｂの制御によって書き込まれる。
【００３０】
報知部５ｅは、携帯機５が室外センサ６の通信エリア（室外センサ電波圏）内に進入して室外センサ６から送受信部５ｃが確認用電波を受信したときに、記憶部５ｄに施錠情報が記憶されていなければ、制御回路部５ｂの制御により、施錠忘れ警報を出力している。具体的には、バイブレータやブザーで報知部５ｅが構成されており、送受信部５ｃが室外センサ６からの確認用電波を受信したときに、記憶部５ｄに施錠情報を記憶していなければ、バイブレータが振動したり、ブザーが鳴動する。
【００３１】
室外センサ６は、リーダ４の通信エリアから所定距離離れた位置、例えば共用出入口やエレベータ等の利用者が共用する共用部に配設され、利用者が所持する携帯機５との間で信号を送受信する通信エリア（室外センサ電波圏）を有しており、図１に示すように、制御回路部６ａ、送受信部６ｂを備えている。
【００３２】
制御回路部６ａは、リーダ４の電源回路部４ａから駆動電源の供給を受け、携帯機５が通信エリア（室外センサ電波圏）内に進入することで起動する誘導磁界を利用して、携帯機５に確認用電波を送信するべく、送受信部６ｂを駆動制御している。
【００３３】
送受信部６ｂは、携帯機５が通信エリア（室外センサ電波圏）内に進入することで起動する誘導磁界を利用して、制御回路部６ａの制御により確認用電波を送信している。前記確認用電波は、室外センサ６の通信エリア（室外センサ電波圏）内に携帯機５が存在するか否かを確認するための電波である。
【００３４】
次に、上記構成による施解錠システム１の動作について図２及び図３を参照しながら説明する。ここでは、室内側から施解錠機構２の錠前を解錠して室外側に出て外出する場合の動作を例にとって説明する。
【００３５】
［通常の施錠動作について］
まず、リーダ４は、携帯機５を所持した利用者がリーダ４の通信エリア（リーダ電波圏）内に進入すると、制御回路部４ｃの制御により、送受信部４ｄから携帯機５に向けて確認用電波を送信する。利用者が所持する携帯機５は、リーダ４からの確認用電波を送受信部５ｃが受信すると、この確認用電波に対する応答電波として、ＩＤ信号を送受信部５ｃから送信する。
【００３６】
次に、リーダ４は、確認用電波に対する応答電波として、携帯機５からＩＤ信号を送受信部４ｄが受信すると、受信したＩＤ信号の正当性を制御回路部４ｃが判別する。そして、リーダ４は、ＩＤ信号を正常認証した後、操作部４ｂの解錠スイッチが利用者の解錠意志によって押下されると、制御回路部４ｃの制御により、施解錠機構２の錠前を解錠制御する。これにより、携帯機５を所持した利用者は、解錠状態の錠前の扉を開いて室内側から室外側に通過可能となる。
【００３７】
その後、リーダ４は、解錠状態の錠前の扉を開いて室内側から室外側に通過した利用者の施錠意志によって操作部４ｂの施錠スイッチが押下されると、制御回路部４ｃの制御により、施解錠機構２の錠前を施錠制御する。
【００３８】
ここで、携帯機５を所持した利用者が解錠状態の錠前の扉を開いて通過し扉を閉めた際、操作部４ｂの施錠スイッチが押下されると、リーダ４の制御回路部４ｃは、施錠動作ありと判別する。すなわち、利用者の施錠意志によって操作部４ｂの施錠スイッチが押下されて錠前が施錠したと判別する。これにより、リーダ４は、送受信部４ｄから携帯機５に向けて施錠動作ありの施錠情報を含む通知用電波を送信する（図２（ａ）の状態）。このとき、利用者が所持する携帯機５は、リーダ４の通信エリア（リーダ電波圏）内に存在し、リーダ４からの施錠情報を含む通知用電波を送受信部５ｃが受信する（図２（ｂ）の状態）。そして、携帯機５は、リーダ４から受信した通知用電波の施錠情報を制御回路部５ｂが記憶部５ｄに書き込む（図２（ｃ）の状態）。
【００３９】
その後、携帯機５を所持した利用者が外出のため、リーダ４の通信エリア（リーダ電波圏）から離れ、室外センサ６の通信エリア（室外センサ電波圏）内に進入すると、携帯機５はリーダ４からの電波を受信しなくなる（図２（ｄ）の状態）。そして、室外センサ６は、携帯機５が通信エリア（室外センサ電波圏）内に進入すると、制御回路部６ａの制御により、送受信部６ｂから携帯機５に向けて確認用電波を送信する（図２（ｅ）の状態）。そして、利用者が所持する携帯機５は、室外センサ６からの確認用電波を送受信部５ｃが受信すると、制御回路部５ｂが記憶部５ｄに施錠情報が記憶されているか否かを判別し、記憶部５ｄに施錠情報が記憶されていると判別すると、報知部５ｅの駆動制御を行わず、利用者の施錠意志によって操作部４ｂの施錠スイッチが押下されて施錠動作が行われたものと判別する（図２（ｆ）の状態）。
【００４０】
［施錠し忘れたときの動作について］
リーダ４は、携帯機５を所持した利用者が室内側から施解錠機構２の錠前を解錠して室外側に出たときに、利用者の施錠意志によって操作部４ｂの施錠スイッチを操作する施錠動作がなければ、制御回路部４ｃの制御による送受信部４ｄから携帯機５への施錠情報を含む通知用電波を送信しない（図３（ａ）の状態）。このとき、利用者が所持する携帯機５は、リーダ４から施錠情報を含む通知用電波を受信せず（図３（ｂ）の状態）、携帯機５の記憶部５ｄに施錠情報が書き込まれることはない（図３（ｃ）の状態）。
【００４１】
その後、携帯機５を所持した利用者が外出のため、リーダ４の通信エリア（リーダ電波圏）から離れ、室外センサ６の通信エリア（室外センサ電波圏）内に進入すると（図３（ｄ）の状態）、室外センサ６は、制御回路部６ａの制御により、送受信部６ｂから携帯機５に向けて確認用電波を送信する（図３（ｅ）の状態）。そして、利用者が所持する携帯機５は、室外センサ６からの確認用電波を送受信部５ｃが受信すると、制御回路部５ｂが記憶部５ｄに施錠情報が記憶されているか否かを判別し、記憶部５ｄに施錠情報が記憶されていないと判別し、報知部５ｅを駆動制御して施錠忘れ警報を出力する（図３（ｆ）の状態）。具体的には、バイブレータを振動したり、ブザーを鳴動して携帯機５から施錠忘れ警報を出力する。これにより、携帯機５を所持した利用者は、バイブレータの振動やブザーの鳴動から施錠忘れが有ることを知る。この場合、携帯機５を所持した利用者は、施錠し忘れた施解錠機構２が有る扉まで戻り、リーダ４の操作部４ｂの施錠スイッチを操作すれば、施解錠機構２の錠前を施錠制御することができ、携帯機５の記憶部５ｄに施錠情報が記憶される。
【００４２】
このように、本例の施解錠システム１によれば、開扉後に施錠を忘れて外出した場合に、利用者が所持する携帯機５の記憶部５ｄに施錠情報が記憶されているか否かにより、施錠の有無を判別している。そして、携帯機５は、室外センサ６から確認用電波を受信したときに、記憶部５ｄに施錠情報が記憶されていなければ、施錠忘れと判断して施錠忘れ警報を出力する。これにより、閉扉後の所定時間内に携帯機５を所持した利用者がリーダ電波圏外に出てしまった場合でも施錠忘れを利用者に知らせることができる。その結果、携帯機５を所持する利用者に施錠忘れがあることを確実に知らせることができ、施錠忘れを防止することができる。そして、利用者は、室外センサ６が配設された占有部から少し離れた位置にいる場合には、携帯機５から不用意に施錠忘れ警報が出力されることがなく、明らかに外出するときに限って、すなわち共用部（共用部出入口やエレベータ）に進入したときに初めて施錠忘れ警報を出力するので、利用者に対してより効率的に施錠忘れを知らせることができる。
【００４３】
ところで、上述した実施の形態では、施錠忘れがあったときに、携帯機５の報知部５ｅが施錠忘れ警報を出力する構成としているが、この構成に限定されるものではない。例えば室外センサ６に報知部を設ける構成としてもよい。この場合、室外センサ６から携帯機５に確認用電波を送信し、この確認用電波を携帯機５が受信して記憶部５ｄに施錠情報が記憶されているか否かを判別し、携帯機５から記憶部５ｄに施錠情報が記憶されていない結果を室外センサ６が受信したときに、室外センサ６の報知部を動作させ、例えばブザーを鳴動して利用者に施錠忘れを知らせるようにしてもよい。
【００４４】
以上、本発明に係る施解錠システムの最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４５】
１  施解錠システム
２  施解錠機構
３  扉センサ
４  リーダ
４ａ  電源回路部
４ｂ  操作部
４ｃ  制御回路部
４ｄ  送受信部
５  携帯機
５ａ  電源部
５ｂ  制御回路部
５ｃ  送受信部
５ｄ  記憶部
５ｅ  報知部
６  室外センサ
６ａ  制御回路部
６ｂ  送受信部
【図１】
2016186190.tif 000003
【図２】
2016186190.tif 000004
【図３】
2016186190.tif 000005
【図４】
2016186190.tif 000006